(57)【要約】  【課題】操作が煩雑になることなく、映像再生装置の映像の所望の場面をダビングすることが可能な映像記録装置を提供する。  【解決手段】ＨＤＤレコーダが、接続されたテレビのモニタに表示させるダビング画面Ｇ２に、映像を表示するウインドウＷ１と、ＨＤＤレコーダのＨＤＤへの映像の記録動作をコントロールするためのＨＤＤ用操作キーＸ２〜Ｘ４と、ＨＤＤレコーダにＩＥＥＥ１３９４インターフェイスにより接続されたＤＶカムコーダの映像の再生動作をコントロールするためのＤＶ用操作キーＹ１〜Ｙ５を設ける。ＨＤＤレコーダのリモコンによりＤＶ用操作キーＹ１〜Ｙ５が操作されると、制御信号をＤＶカムコーダに送信してＤＶカムコーダの再生動作を制御する。ＤＶカムコーダから再生された映像が入力されると、当該映像をウインドウＷ１に表示させ、この状態でリモコンにより録画キーＸ４が操作されると、入力映像をＨＤＤにダビングする。【選択図】  図４Ｂ
2005318186.tif 000002
【特許請求の範囲】
【請求項１】
接続された映像再生装置と通信を行うためのＩＥＥＥ１３９４インターフェイスと、映像データの記録媒体への記録動作をコントロールするための記録装置用操作キーとを備え、前記映像再生装置で再生されて前記インターフェイスを介して入力される映像を、前記記録装置用操作キーの操作に基づいて記録媒体に記録する映像記録装置において、
前記映像再生装置の映像の再生動作をコントロールするための再生装置用操作キーを備え、
前記映像再生装置から前記インターフェイスを介して入力される映像と当該映像の属性情報とともに、前記記録装置用操作キー、前記再生装置用操作キー、当該映像記録装置の記録動作状態、および前記映像再生装置の再生動作状態を接続されたテレビのモニタに表示させ、
前記モニタに表示させた前記記録装置用操作キーまたは前記再生装置用操作キーをリモートコントローラにより操作可能にし、
前記再生装置用操作キーの操作に基づいて前記インターフェイスを介して前記映像再生装置に制御信号を送信して当該装置の再生動作を制御することを特徴とする映像記録装置。
【請求項２】
接続された映像再生装置と通信を行うための通信手段と、記録媒体への映像の記録動作をコントロールするための記録装置用操作キーとを備え、前記映像再生装置で再生されて前記通信手段を介して入力される映像を、前記記録装置用操作キーの操作に基づいて記録媒体に記録する映像記録装置において、
前記映像再生装置の映像の再生動作をコントロールするための再生装置用操作キーを備え、
前記再生装置用操作キーの操作に基づいて前記通信手段を介して前記映像再生装置に制御信号を送信して当該装置の再生動作を制御し、映像再生装置から前記通信手段を介して入力される映像を、接続された表示手段に表示させることを特徴とする映像記録装置。
【請求項３】
請求項２に記載の映像記録装置において、
前記再生装置用操作キーを、前記映像再生装置からの入力映像とともに前記表示手段に表示させ、当該再生装置用操作キーを操作するための操作手段を設けたことを特徴とする映像記録装置。
【請求項４】
請求項３に記載の映像記録装置において、
前記記録装置用操作キーを、前記映像再生装置からの入力映像および前記再生装置用操作キーとともに前記表示手段に表示させ、前記操作手段で操作可能にしたことを特徴とする映像記録装置。
【請求項５】
請求項４に記載の映像記録装置において、
当該映像記録装置の記録動作状態と前記映像再生装置の再生動作状態とを、前記映像再生装置からの入力映像、前記再生装置用操作キー、および前記記録装置用操作キーとともに前記表示手段に表示させることを特徴とする映像記録装置。
【発明の詳細な説明】
【技術分野】
【０００１】
本発明は、映像再生装置と接続され、当該映像再生装置で再生された映像をダビングすることが可能な映像記録装置に関するものである。
【背景技術】
【０００２】
例えばＨＤＤレコーダやＤＶＤレコーダのような映像を記録可能な映像記録装置には、ＤＶカムコーダ（デジタルビデオカムコーダのこと。デジタルビデオカメラともいう。）等で撮影された映像をダビング（記録）することが可能なものがある。そのダビングの一般的な方法として従来は、例えばＨＤＤレコーダとＤＶカムコーダとをケーブルで接続した後、ＤＶカムコーダに設けられた再生キーを操作することにより、ＤＶカムコーダで予め撮影してＤＶテープに記録しておいた映像を再生してＨＤＤレコーダへ入力させ、この状態でＨＤＤレコーダに設けられた録画キーを操作することにより、ＤＶカムコーダから入力させる映像をＨＤＤレコーダに備わるハードディスクに記録させていた。そして、ダビングを停止する際には、ＨＤＤレコーダに設けられた停止キーを操作することにより、ハードディスクへの映像の記録を停止させ、ＤＶカムコーダに設けられた停止キーを操作することにより、ＤＶカムコーダでの映像の再生とＨＤＤレコーダへの映像の入力を停止させていた。
【０００３】
また、別のダビング方法を採用した映像記録装置として、接続されたＤＶカムコーダが映像の撮影を開始するのに同期して、ＤＶカムコーダから入力される映像をハードディスクに記録し、ＤＶカムコーダが映像の撮影を停止するのに同期して、ハードディスクへの映像の記録を停止するものもある（例えば、特許文献１参照）。一方、ダビングする映像をユーザが確認できるように、当該映像を記録媒体に記録しながら、テレビのモニタに出力して表示させる映像記録装置もある（例えば、特許文献２、３参照）。
【特許文献１】特開２００３−２１７２６６号公報（段落００１５、００３１）
【特許文献２】特開平５−５４６０５号公報（段落００２２、００２６）
【特許文献３】特開平１０−１５０６０９号公報（段落００２２、００２３）
【発明の開示】
【発明が解決しようとする課題】
【０００４】
しかしながら、従来はダビングの際に、ＤＶカムコーダを動作させるには当該ＤＶカムコーダに設けられた再生キー等を操作し、ＨＤＤレコーダを動作させるには当該ＨＤＤレコーダに設けられた録画キー等を操作しなければならないので、操作が煩雑になるという問題がある。これに対して、特許文献１の映像記録装置は、ＤＶカムコーダの撮影開始または撮影停止の動作に同期して、ハードディスクへの映像の記録または記録停止を行うので、操作は煩雑にならないが、ＤＶカムコーダで撮影した映像がそのまま全てハードディスクに記録されてしまうため、撮影した映像の中から所望の場面を選択してダビングすることができないという問題がある。また、特許文献２、３のようにダビングする映像をテレビのモニタに表示させると、モニタを見ながら映像記録装置の録画キーまたは停止キーを操作することで、所望の場面をダビングすることはできるが、ダビングする映像を再生したり当該映像の再生位置を変えたりするには、再生装置側に設けられた再生キーや早送りキーや巻戻しキー等を操作しなければならないので、上記従来のように操作が煩雑になるという問題がある。
【０００５】
本発明は、上記問題点を解決するものであって、その課題とするところは、操作が煩雑になることなく、映像再生装置の映像の所望の場面をダビングすることが可能な映像記録装置を提供することにある。
【課題を解決するための手段】
【０００６】
本発明では、接続された映像再生装置と通信を行うための通信手段と、記録媒体への映像の記録動作をコントロールするための記録装置用操作キーとを備え、映像再生装置で再生されて通信手段を介して入力される映像を、記録装置用操作キーの操作に基づいて記録媒体に記録する映像記録装置において、映像再生装置の映像の再生動作をコントロールするための再生装置用操作キーを設け、再生装置用操作キーの操作に基づいて通信手段を介して映像再生装置に制御信号を送信して当該装置の再生動作を制御し、映像再生装置から通信手段を介して入力される映像を、接続された表示手段に表示させる。なお、映像記録装置の記録動作とは、記録媒体への映像の記録開始、記録停止、および記録一時停止のことである。また、映像再生装置の再生動作とは、映像の再生開始、再生停止、再生一時停止、および再生位置の早送りや巻戻しのことである。
【０００７】
上記のように、映像記録装置に再生装置用操作キーを設け、映像記録装置で当該操作キーの操作に基づいて映像再生装置の再生動作を制御すると、再生装置用操作キーと記録装置用操作キーとを操作することにより、映像再生装置に設けられた操作キーを操作することなく、映像再生装置の映像を記録媒体にダビング（記録）することができるので、操作が煩雑になることはない。また、映像再生装置からの入力映像を表示手段に表示させることで、表示された当該映像を確認しながら再生装置用操作キーと記録装置用操作キーとを操作することができるので、映像再生装置からの入力映像のうち、不要な場面はカットして所望の場面だけをダビングしたり、所望の場面を繰り返しダビングしたりすることが可能となる。
【０００８】
また、本発明の実施形態においては、再生装置用操作キーを、映像再生装置からの入力映像とともに表示手段に表示させ、当該再生装置用操作キーを操作するための操作手段を設けている。このようにすると、表示手段を見ることにより、映像再生装置からの入力映像と再生装置用操作キーとを同時に確認しながら当該操作キーを操作することができ、映像再生装置での映像の再生位置を所望の場面に容易に移動させることが可能となる。
【０００９】
また、本発明の実施形態においては、記録装置用操作キーを、映像再生装置からの入力映像および再生装置用操作キーとともに表示手段に表示させ、上記操作手段で操作可能にしている。このようにすると、表示手段を見ることにより、映像再生装置からの入力映像と、再生装置用操作キーおよび記録装置用操作キーを同時に確認しながら両操作キーを操作することができ、操作を一層簡単にすることが可能となる。
【００１０】
また、本発明の実施形態においては、当該映像記録装置の記録動作状態と映像再生装置の再生動作状態とを、映像再生装置からの入力映像、再生装置用操作キー、および記録装置用操作キーとともに表示手段に表示させている。このようにすると、表示手段を見ることにより、映像記録装置と映像再生装置の動作状態を把握しながら両操作キーを操作することができ、誤操作を防ぐことが可能となる。
【００１１】
さらに、本発明の実施形態においては、通信手段は、ＩＥＥＥ１３９４の規格に準拠したＩＥＥＥ１３９４インターフェイスであり、表示手段は、映像記録装置に接続されたテレビのモニタであり、操作手段は、リモートコントローラである。また、テレビのモニタには、映像再生装置からの入力映像、当該映像の属性情報、記録装置用操作キー、再生装置用操作キー、映像記録装置の記録動作状態、および映像再生装置の再生動作状態を表示させる。なお、映像の属性情報とは、映像の内容と映像の再生位置を示す情報のことである。上記のように映像再生装置からの入力映像の属性情報も表示させることで、テレビのモニタを見ることにより、入力映像の内容を認識することができるとともに、映像再生装置での映像の再生位置を所望の場面に一層容易に移動させることが可能となる。
【発明の効果】
【００１２】
本発明によれば、映像記録装置に設けられた再生装置用操作キーと記録装置用操作キーとを操作することにより、映像再生装置に設けられた操作キーを操作することなく、映像再生装置の映像をダビングすることができるので、操作が煩雑になることがない。また、表示手段に表示された映像再生装置からの入力映像を確認しながら再生装置用操作キーと記録装置用操作キーとを操作することができるので、映像再生装置の映像の所望の場面をダビングすることが可能となる。
【発明を実施するための最良の形態】
【００１３】
図１は、ＨＤＤレコーダとＤＶカムコーダを示すブロック図である。図１において、右側に示すＨＤＤレコーダ（ハードディスクレコーダ）１０は、本発明における映像記録装置の一実施形態を構成し、左側に示すＤＶカムコーダ（デジタルビデオカムコーダ）２０は、本発明における映像再生装置の一実施形態を構成する。ＨＤＤレコーダ１０とＤＶカムコーダ２０とは、ＡＶ機器間またはＡＶ機器とパーソナルコンピュータとを接続するＩＥＥＥ１３９４の規格に準拠したＩＥＥＥ１３９４インターフェイス（以下、単にインターフェイスという）７、２７をそれぞれ備えていて、同規格に準拠したケーブルＣで接続されている。このため、ＨＤＤレコーダ１０とＤＶカムコーダ２０とは、インターフェイス７、２７によって接続相手を認識し合い、相互に通信を行うことが可能である。インターフェイス７は、本発明における通信手段の一実施形態を構成する。３０はテレビジョン受像機（以下、テレビという）であって、ＨＤＤレコーダ１０に接続されている。
【００１４】
ＨＤＤレコーダ１０において、１はＨＤＤレコーダ１０の各部を制御する制御部であって、ＣＰＵ１ａおよびＲＡＭやＲＯＭのようなメモリ１ｂ等から構成されている。Ａはテレビ番組等の放送電波を受信するアンテナ、２はアンテナＡで受信した放送電波（映像を含んだアナログの信号）を選局するチューナである。３は信号処理部であって、この信号処理部３は、チューナ２から入力されるアナログの信号を、テレビ３０に出力したり、デジタル化した後にＭＰＥＧ２（Moving Picture Experts Group Phase2）フォーマットの圧縮されたデータに変換（ＭＰＥＧ符号化）してハードディスク（以下、ＨＤＤという）４に出力したりする。また、信号処理部３は、後述するようにＤＶカムコーダ２０から入力されるデータを、アナログの信号に変換してテレビ３０に出力したり、ＭＰＥＧ２フォーマットのデータに変換してＨＤＤ４に出力したりする。ＨＤＤ４は、制御部１や信号処理部３から入力されるデータを所定の領域に記録したり、所定の領域に記録したデータを読み出して制御部１や信号処理部３に出力したりする。ＨＤＤ４から信号処理部３に出力されたデータは、信号処理部３で再生（ＭＰＥＧ復号化およびアナログ信号への変換）されてテレビ３０に出力される。テレビ３０は、信号処理部３のアナログの信号に基づいてモニタ３１に映像を表示し、スピーカ３２から音声を出力する。信号処理部３のＯＳＤ（On Screen Display）回路３ａは、制御部１から入力される画像データをテレビ３０のモニタ３１にオンスクリーン表示できるように処理する。
【００１５】
５はＶＦＤ（蛍光表示管）からなる表示部であって、時間やＨＤＤレコーダ１０の動作状態等を表示する。６はＨＤＤレコーダ１０の本体部に設けられた各種の操作キーからなる操作部である。８はリモコン受信部であって、リモートコントローラ（以下、リモコンという）９からの信号を受信する。リモコン９には、図２に示すように各種の操作キーが設けられている。主要なものを説明すると、Ｚ１は電源キー、Ｚ２はダビングキー、Ｚ３はメニューキーである。Ｚ４〜Ｚ９はＨＤＤレコーダ１０の再生動作または記録動作をコントロールするための操作キーであって、Ｚ４は再生キー、Ｚ５は一時停止キー、Ｚ６は停止キー、Ｚ７は録画キー、Ｚ８は巻戻しキー、Ｚ９は早送りキーである。Ｚ１０は決定キー、Ｚ１１は矢印キーである。
【００１６】
図１のＤＶカムコーダ２０において、２１はＤＶカムコーダ２０の各部を制御する制御部であって、ＣＰＵ２１ａおよびＲＡＭやＲＯＭのようなメモリ２１ｂ等から構成されている。２２はカメラからなる撮像部であって、映像を撮影する。２３は信号処理部であって、撮像部２２で撮影した映像をデジタル化した後にＤＶ（Digital Video）フォーマットの圧縮されたデータに処理してテープ読書部２４に出力する。テープ読書部２４は、信号処理部２３から入力されるデータを装着されたＤＶカセット４０のテープに書き込んだり、テープの記録データを読み出して信号処理部２３に出力したりする。テープ読書部２４から信号処理部２３に送られるデータは、信号処理部２３で再生される。２５はＬＣＤ（液晶ディスプレイ）からなる表示部であって、撮像部２２で撮影された映像や信号処理部２３で再生された映像を表示する。２６はＤＶカムコーダ２０に設けられた操作キーからなる操作部である。この操作部２６を操作することにより、撮像部２２で撮影してＤＶカセット４０に記録する映像または記録した映像に、タイトル等の情報を付加することが可能である。制御部２１は、信号処理部２３で再生された映像をインターフェイス２７を介してＨＤＤレコーダ１０に送る。
【００１７】
図３および図４Ａ〜図４Ｃは、テレビ３０のモニタ３１（図１）にオンスクリーン表示される画面の一例を示す図である。各画面の画像データは、ＨＤＤレコーダ１０の制御部１のメモリ１ｂに記録されている。図３に示すセットアップ画面Ｇ１は、前述のリモコン９のメニューキーＺ３（図２）が押されたときにモニタ３１に表示される。この画面Ｇ１中には、録画、映像、設定、初期化、ダビング、音声の６つのキーが設けられている。前述の矢印キーＺ１１（図２）を操作し、画面Ｇ１中のカーソルＫ１をダビングキーＺ２ａに合わせて、前述の決定キーＺ１０（図２）を押すと、ダビングキーＺ２ａが押された状態（ＯＮ状態）になった後、画面Ｇ１がモニタ３１から消えて、代わりに図４Ａに示すダビング画面Ｇ２がモニタ３１に表示される。なお、ダビング画面Ｇ２は、前述のリモコン９のダビングキーＺ２（図２）が押されたときにも、ダイレクトで表示される。
【００１８】
ダビング画面Ｇ２において、Ｗ１はＤＶカムコーダ２０からインターフェイス２７を介してＨＤＤレコーダ１０に入力される入力映像を表示する映像ウインドウ、Ｗ２は当該入力映像の属性情報を表示する属性ウインドウである。図４Ａでは、ＤＶカムコーダ２０からＨＤＤレコーダ１０に映像と当該映像の属性情報がまだ入力されていない状態なので、ウインドウＷ１、Ｗ２には何も表示されていないが、映像と属性情報が入力されると、図４Ｂや図４Ｃの画面Ｇ２に示すように、ウインドウＷ１に入力映像が表示され、ウインドウＷ２に属性情報が表示される。なお、映像の属性情報とは、映像の内容と映像の再生位置を示す情報のことである。本実施形態では、属性情報として入力映像のタイトル名と当該映像のＤＶカムコーダ２０での再生時間とを表示しているが、これ以外に、入力映像の作成者（撮影者）、作成日時（撮影日時）、映像のデータ容量、および映像の再生率（全体に対してどれぐらいまで再生したかを百分率％や目盛りで示したもの）等を属性情報として表示するようにしてもよい。
【００１９】
Ｘ１〜Ｘ４はＨＤＤレコーダ１０の再生動作または記録動作をコントロールするためのＨＤＤ用操作キーであって、Ｘ１は再生キー、Ｘ２は一時停止キー、Ｘ３は停止キー、Ｘ４は録画キーである。リモコン９の矢印キーＺ１１を操作し、カーソルＫ２をいずれかのキーＸ１〜Ｘ４に合わせて、決定キーＺ１０を押すと、いずれかのキーＸ１〜Ｘ４が押された状態（ＯＮ状態）になって、ＨＤＤレコーダ１０がそのキーＸ１〜Ｘ４に対応する動作を行う。なお、前述のリモコン９の再生キーＺ４、一時停止キーＺ５、停止キーＺ６、および録画キーＺ７のいずれかのキーが押されたときにも、ＨＤＤレコーダ１０はそのキーに対応する動作を行う。Ｗ３はＨＤＤレコーダ１０の再生動作状態または記録動作状態を示す動作ウインドウである。このウインドウＷ３には、例えばＨＤＤレコーダ１０が動作停止状態のときは、図４Ａに示すように停止キーＸ３と同様のマークが表示され、映像の記録状態のときは、図４Ｂに示すように録画キーＸ４と同様のマークが表示され、映像の記録一時停止状態のときは、図４Ｃに示すように録画キーＸ４および一時停止キーＸ２と同様のマークがそれぞれ表示される。また、図示していないがウインドウＷ３には、ＨＤＤレコーダ１０が映像の再生状態のときは、再生キーＸ１と同様のマークが表示され、映像の再生一時停止状態のときは、再生キーＸ１および一時停止キーＸ２と同様のマークがそれぞれ表示される。
Ｙ１〜Ｙ５はＤＶカムコーダ２０の再生動作をコントロールするためのＤＶ用操作キーであって、Ｙ１は再生キー、Ｙ２は一時停止キー、Ｙ３は停止キー、Ｙ４は巻戻しキーである。リモコン９の矢印キーＺ１１を操作し、カーソルＫ２をいずれかのキーＹ１〜Ｙ５に合わせて、決定キーＺ１０を押すと、いずれかのキーＹ１〜Ｙ５が押された状態（ＯＮ状態）になって、ＨＤＤレコーダ１０がそのキーＹ１〜Ｙ５に対応する動作の制御信号、いわゆる動作コマンドをインターフェイス７を介してＤＶカムコーダ２０に送信する。そして、その動作コマンドをインターフェイス２７を介して受信したＤＶカムコーダ２０は、動作コマンドに従って動作を行う。Ｗ４はＤＶカムコーダ２０の再生動作状態を示す動作ウインドウである。このウインドウＷ４には、例えばＤＶカムコーダ２０が動作停止状態のときは、図４Ａに示すように停止キーＹ３と同様のマークが表示され、映像の再生状態のときは、図４Ｂに示すように再生キーＹ１と同様のマークが表示され、再生位置の巻戻し状態のときは、図４Ｃに示すように巻戻しキーＹ４と同様のマークがそれぞれ表示される。また、図示していないがウインドウＷ４には、ＤＶカムコーダ２０が映像の再生一時停止状態のときは、再生キーＹ１および一時停止キーＹ２と同様のマークが表示され、再生位置の早送り状態のときは、早送りＹ５と同様のマークがそれぞれ表示される。ＨＤＤ用操作キーＸ２〜Ｘ４とリモコン９の操作キーＺ５〜Ｚ７は、本発明における記録装置用操作キーの一実施形態をそれぞれ構成し、ＤＶ用操作キーＹ１〜Ｙ５は、本発明における再生装置用操作キーの一実施形態を構成する。また、リモコン９は、本発明における操作手段の一実施形態を構成する。
【００２０】
図５〜図９は、ＨＤＤレコーダ１０の動作手順を示すフローチャートである。各処理は、ＨＤＤレコーダ１０の制御部１（図１）が実行する。図５はメインの処理を示し、図６〜図９は図５のステップＳ６の詳細処理を示している。なお、図６〜図９の詳細処理は、それぞれ独立して実行される。
【００２１】
まず、図５のメインの処理を説明する。図５において、ユーザによって前述のリモコン９のダビングキーＺ２（図２）または前述のセットアップ画面Ｇ１のダビングキーＺ２ａ（図３）が押されてＯＮ状態になると（ステップＳ１：ＹＥＳ）、制御部１は、ＨＤＤレコーダ１０にＤＶカムコーダ２０がケーブルＣにより接続されているか否かを確認する（ステップＳ２）。ここで、ＨＤＤレコーダ１０にＤＶカムコーダ２０が接続されていなければ（ステップＳ２：ＮＯ）、制御部１は、「接続エラー」のメッセージをテレビ３０のモニタ３１（図１）にオンスクリーン表示して（ステップＳ３）、処理を終了する。これに対して、ＨＤＤレコーダ１０にＤＶカムコーダ２０が接続されていれば（ステップＳ２：ＹＥＳ）、制御部１は、図４Ａに示したようにダビング画面Ｇ２をモニタ３１に表示する（ステップＳ４）。ダビング画面Ｇ２の表示後、制御部１は、ユーザにより前述のＨＤＤ用操作キーＸ１〜Ｘ４とＤＶ用操作キーＹ１〜Ｙ５とリモコン９の操作キーＺ４〜Ｚ７のいずれかの操作キーが押されてＯＮ状態になったか否かを監視し（ステップＳ５）、いずれかの操作キーがＯＮ状態になると（ステップＳ５：ＹＥＳ）、その操作キーに対応する処理を後述するように実行する（ステップＳ６）。そして、ユーザにより前述のリモコン９のメニューキーＺ３（図２）や、チューナ２からの入力映像の表示を指示するためのキー（図２のキー「１」等）が操作される等して他の画面への移行指示を受けると（ステップＳ７：ＹＥＳ）、制御部１は、モニタ３１からダビング画面Ｇ２を消して（ステップＳ８）、処理を終了する。
【００２２】
次に、図６〜図９の処理を説明する。図５のステップＳ５で、ユーザによりＤＶ用再生キーＹ１が押されてＯＮ状態になると（ステップＳ５：ＹＥＳ）、制御部１は、ステップＳ６で、図６のフローチャートに従ってＤＶ再生処理を実行する。図６において、制御部１は、再生キーＹ１がＯＮ状態になったことを確認すると（ステップＳ１１：ＹＥＳ）、インターフェイス７を介してＤＶカムコーダ２０に再生コマンドを送信し（ステップＳ１２）、ＤＶカムコーダ２０にＤＶカセット４０の記録映像の再生を開始させる。ＤＶカムコーダ２０は映像の再生を開始すると、再生した映像をインターフェイス２７を介してＨＤＤレコーダ１０に送信する。このため、制御部１は、インターフェイス７を介してＤＶカムコーダ２０から映像の入力があると（ステップＳ１３：ＹＥＳ）、その入力映像を図４Ｂや図４Ｃに示したようにダビング画面Ｇ２の映像ウインドウＷ１に表示する（ステップＳ１４）。このとき、ＤＶカムコーダ２０からは映像とともに当該映像の属性情報も入力されるので、制御部１は、その属性情報を図４Ｂや図４Ｃに示したようにダビング画面Ｇ２の属性ウインドウＷ２に表示する。
【００２３】
入力映像等の表示後、ユーザにより前述のＤＶ用一時停止キーＹ２が押されてＯＮ状態になると（ステップＳ１５：ＹＥＳ）、制御部１は、インターフェイス７を介してＤＶカムコーダ２０に一時停止コマンドを送信し（ステップＳ１６）、ＤＶカムコーダ２０に映像の再生を一時停止させる。このとき、ＤＶカムコーダ２０からの映像の入力が一時停止されるので、映像ウインドウＷ１に表示させている映像も一時停止状態となる。その後、ユーザにより一時停止キーＹ２または再生キーＹ１が再び押されてＯＮ状態になると（ステップＳ１７：ＹＥＳ）、制御部１は、インターフェイス７を介してＤＶカムコーダ２０に再生再開コマンドを送信し（ステップＳ１８）、ＤＶカムコーダ２０に映像の再生を再開させる。そして、ユーザにより前述のＤＶ用停止キーＹ３が押されてＯＮ状態になると（ステップＳ１９：ＹＥＳ）、制御部１は、インターフェイス７を介してＤＶカムコーダ２０に停止コマンドを送信し（ステップＳ２０）、ＤＶカムコーダ２０に映像の再生を停止させる。ＤＶカムコーダ２０は映像の再生を停止すると、ＨＤＤレコーダ１０への映像の送信も停止する。このため、制御部１は、映像ウインドウＷ１から入力映像の表示を消して（ステップＳ２１）、ＤＶ再生処理を終了する。
【００２４】
また、図５のステップＳ５で、ユーザによりＤＶ用巻戻しキーＹ４または早送りキーＹ５が押されてＯＮ状態になると（ステップＳ５：ＹＥＳ）、制御部１は、ステップＳ６で、図７のフローチャートに従ってＤＶ巻戻しまたは早送り処理を実行する。図７において、制御部１は、巻戻しキーＹ４または早送りキーＹ５がＯＮ状態になったことを確認すると（ステップＳ３１：ＹＥＳ）、インターフェイス７を介してＤＶカムコーダ２０に巻戻しコマンドまたは早送りコマンドを送信し（ステップＳ３２）、ＤＶカムコーダ２０にＤＶカセット４０のテープの巻戻しまたは早送りを開始させる。このとき、ＤＶカムコーダ２０が映像の再生停止状態でテープの巻戻しまたは早送りを開始した場合は、ＨＤＤレコーダ１０に映像が入力されないので、図４Ａに示すようにダビング画面Ｇ２の映像ウインドウＷ１には何も表示されないが、ＤＶカムコーダ２０が映像の再生中にテープの巻戻しまたは早送りを開始した場合は、ＨＤＤレコーダ１０に巻戻し状態または早送り状態の再生映像が入力されるので、映像ウインドウＷ１には巻戻し再生映像または早送り再生映像が表示される。そして、ユーザが属性ウインドウＷ２の再生時間を見て所望の再生位置になるように停止キーＹ３または再生キーＹ１を押すことにより、当該キーＹ３、Ｙ１がＯＮ状態になると（ステップＳ３３：ＹＥＳ）、制御部１は、インターフェイス７を介してＤＶカムコーダ２０に停止コマンドまたは再生再開コマンドを送信し（ステップＳ３４）、ＤＶカムコーダ２０に巻戻しまたは早送りを停止させて、ＤＶ巻戻しまたは早送り処理を終了する。
【００２５】
また、図５のステップＳ５で、ユーザによりＨＤＤ用録画キーＸ４またはリモコン９の録画キーＺ７が押されてＯＮ状態になると（ステップＳ５：ＹＥＳ）、制御部１は、ステップＳ６で、図８のフローチャートに従ってＨＤＤ録画処理を実行する。図８において、制御部１は、録画キーＸ４、Ｚ７のいずれかがＯＮ状態になったことを確認すると（ステップＳ４１：ＹＥＳ）、続けて、ＤＶカムコーダ２０から映像の入力があるか否かを確認する（ステップＳ４２）。ここで、ＤＶカムコーダ２０で映像が再生されておらず、ＨＤＤレコーダ１０に映像が入力されていなければ（ステップＳ４２：ＮＯ）、制御部１は、ＨＤＤ録画処理を終了する。これに対して、ＤＶカムコーダ２０で映像が再生されていて、ＨＤＤレコーダ１０に映像が入力されていれば（ステップＳ４２：ＹＥＳ）、制御部１は、ＤＶカムコーダ２０からの入力映像のＨＤＤ４への記録（ダビング）を開始する（ステップＳ４３）。このとき、入力映像の属性情報もＨＤＤ４へ記録する。
【００２６】
ＤＶカムコーダ２０からの入力映像の記録開始後、ユーザにより前述のＨＤＤ用一時停止キーＸ２またはリモコン９の一時停止キーＺ５が押されてＯＮ状態になると（ステップＳ４４：ＹＥＳ）、制御部１は、入力映像のＨＤＤ４への記録を一時停止する（ステップＳ４５）。このとき、ＤＶカムコーダ２０が映像を再生してＨＤＤレコーダ１０へ入力し続けている場合は、当該入力映像は、図４Ｃに示したようにダビング画面Ｇ２の映像ウインドウＷ１に表示され続けるが、ＨＤＤ４には記録されない。その後、ユーザにより一時停止キーＸ２、Ｚ５と録画キーＸ４、Ｚ７のいずれかが再び押されてＯＮ状態になると（ステップＳ４６：ＹＥＳ）、制御部１は、入力映像のＨＤＤ４への記録を再開する（ステップＳ４７）。そして、ユーザにより前述のＨＤＤ用停止キーＸ３またはリモコン９の停止キーＺ６が押されてＯＮ状態になると（ステップＳ４８：ＹＥＳ）、制御部１は、入力映像のＨＤＤ４への記録を停止し（ステップＳ４９）、ＨＤＤ録画処理を終了する。
【００２７】
また、図５のステップＳ５で、ユーザによりＨＤＤ用再生キーＸ１またはリモコン９の再生キーＺ４が押されてＯＮ状態になると（ステップＳ５：ＹＥＳ）、制御部１は、ステップＳ６で、図９のフローチャートに従ってＨＤＤ再生処理を実行する。図９において、制御部１は、再生キーＸ１、Ｚ４のいずれかがＯＮ状態になったことを確認すると（ステップＳ５１：ＹＥＳ）、続けて、ＤＶカムコーダ２０からの入力映像をＨＤＤ４に記録済みか否かを確認する（ステップＳ５２）。ここで、入力映像をＨＤＤ４にまだ何も記録していなければ（ステップＳ５２：ＮＯ）、制御部１は、ＨＤＤ再生処理を終了する。これに対して、入力映像をＨＤＤ４に既に記録していれば（ステップＳ５２：ＹＥＳ）、制御部１は、ＨＤＤ４に記録している映像の再生を開始して、ダビング画面Ｇ２の映像ウインドウＷ１に表示する。これにより、ユーザはＨＤＤ４に記録したＤＶカムコーダ１０の映像の確認が可能となる。なおこのとき、ＤＶカムコーダ２０では映像の再生が停止されていて、ＨＤＤレコーダ１０への映像の入力もない。その後、ユーザにより停止キーＸ３、Ｚ６のいずれかが押されてＯＮ状態になるか、またはＨＤＤ４の記録映像を終端まで再生すると（ステップＳ５４：ＹＥＳ）、制御部１は、ＨＤＤ４の記録映像の再生を停止し、映像ウインドウＷ１から映像の表示を消して（ステップＳ５５）、ＨＤＤ再生処理を終了する。
【００２８】
以上のように、ＤＶ用操作キーＹ１〜Ｙ５をダビング画面Ｇ２に配置して、ＨＤＤレコーダ１０側で当該操作キーＹ１〜Ｙ５の操作に基づいてＤＶカムコーダ２０の再生動作を制御すると、ユーザはＤＶ用操作キーＹ１〜Ｙ５とＨＤＤ用操作キーＸ２〜Ｘ４またはリモコン９の操作キーＺ５〜Ｚ７を操作することにより、ＤＶカムコーダ２０側に設けられた操作キーを操作することなく、ＤＶカムコーダ２０の映像をＨＤＤ４にダビング（記録）することができるので、操作が煩雑になることはない。また、ＤＶカムコーダ２０からの入力映像を映す映像ウインドウＷ１をダビング画面Ｇ２に配置してテレビ３０のモニタ３１に表示させることで、ユーザはモニタ３１を見ることにより、ＤＶカムコーダ２０からの入力映像を確認しながら操作キーＹ１〜Ｙ５、Ｘ２〜Ｘ４、Ｚ５〜Ｚ７をそれぞれ操作することができるので、入力映像のうち、不要な場面はカットして所望の場面だけをＨＤＤ４にダビングしたり、所望の場面を繰り返しＨＤＤ４にダビングしたりすることが可能となる。さらに、入力映像のＨＤＤ４へのダビング後、ＨＤＤ用再生キーＸ１またはリモコン９の再生キーＺ４が操作されたときに、ダビングした映像を再生してモニタ３１に表示させることで、ユーザはダビングした映像を簡単な操作で即座に確認することができる。
【００２９】
また、ＤＶ用操作キーＹ１〜Ｙ５を映像ウインドウＷ１とともにダビング画面Ｇ２に配置してモニタ３１に表示させることで、ユーザはモニタ３１を見ることにより、ＤＶカムコーダ２０からの入力映像とＤＶ用操作キーＹ１〜Ｙ５とを同時に確認しながらリモコン９で当該操作キーＹ１〜Ｙ５を操作することができ、ＤＶカムコーダ２０での映像の再生位置を所望の場面に容易に移動させることが可能となる。また、ＨＤＤ用操作キーＸ１〜Ｘ４もダビング画面Ｇ２に配置してモニタ３１に表示させることで、ユーザはモニタ３１を見ることにより、ＤＶカムコーダ２０からの入力映像と、ＤＶ用操作キーＹ１〜Ｙ５およびＨＤＤ用操作キーＸ１〜Ｘ４を同時に確認しながらリモコン９で操作キーＹ１〜Ｙ５、Ｘ１〜Ｘ４を操作することができ、操作を一層簡単にすることが可能となる。
【００３０】
また、ＨＤＤレコーダ１０の動作状態を示す動作ウインドウＷ３とＤＶカムコーダ２０の動作状態を示す動作ウインドウＷ４もダビング画面Ｇ２に配置してモニタ３１に表示させることで、ユーザはモニタ３１を見ることにより、ＨＤＤレコーダ１０とＤＶカムコーダ２０の動作状態を把握しながらリモコン９で操作キーＹ１〜Ｙ５、Ｘ１〜Ｘ４を操作することができ、誤操作を防ぐことが可能となる。また、ＤＶカムコーダ２０からの入力映像の属性情報（タイトル名と再生時間）を示す属性ウインドウＷ２もダビング画面Ｇ２に配置してモニタ３１に表示させることで、ユーザはモニタ３１を見ることにより、入力映像の内容を認識することができるとともに、ＤＶカムコーダ２０での映像の再生位置を所望の場面に一層容易に移動させることが可能となる。
【００３１】
以上述べた実施形態では、再生装置用操作キーとして、ＤＶ用操作キーＹ１〜Ｙ５をダビング画面Ｇ２に設けてテレビ３０のモニタ３１に表示させるようにした場合を例に挙げているが、本発明はこれのみに限定するものではなく、これ以外に、例えばＤＶ用操作キーＹ１〜Ｙ５のそれぞれに相当する押しボタンからなる複数の操作キーを、リモコン９やＨＤＤレコーダ１０の本体部に設けるようにしてもよい。
【００３２】
また、以上の実施形態では、記録装置用操作キーとして、操作キーＺ５〜Ｚ７をリモコン９に設けるとともに、ＨＤＤ用操作キーＸ２〜Ｘ４をダビング画面Ｇ２に設けてテレビ３０のモニタ３１に表示させるようにした場合を例に挙げているが、本発明はこれのみに限定するものではなく、これ以外に、例えば操作キーＺ５〜Ｚ７はリモコン９やＨＤＤレコーダ１０の本体部に設けるが、ＨＤＤ用操作キーＸ２〜Ｘ４は省略するようにしてもよい。
【００３３】
また、以上の実施形態では、ＨＤＤレコーダ１０とＤＶカムコーダ２０の動作状態を、ダビング画面Ｇ２の操作キーＸ１〜Ｘ４、Ｙ１〜Ｙ５と同様のマークをウインドウＷ３、Ｗ４に表示することで示した場合を例に挙げているが、本発明はこれのみに限定するものではなく、これ以外に、例えば「再生」、「巻戻し」、「録画」、「録画一時停止」のように文字を表示することにより両装置の動作状態を示すようにしてもよい。
【００３４】
また、以上の実施形態では、映像再生装置として、ＤＶカムコーダ２０を用いた場合を例に挙げているが、本発明はこれのみに限定するものではなく、これ以外に、例えばカメラ等の撮像部を備えていないデジタルビデオ、ＨＤＤレコーダ、ＤＶＤ（Digital Versatile Disk）レコーダ等を用いてもよい。つまり、映像再生装置としては、ケーブル等で接続された映像記録装置と相互に通信を行うためのインターフェイスを備え、記録媒体に記録された映像を再生して映像記録装置に入力できるようなＡＶ機器であればよい。
【００３５】
さらに、以上の実施形態では、ＨＤＤレコーダ１０に本発明を適用した場合を例に挙げているが、本発明はこれ以外にも、例えばＤＶＤレコーダ、ＨＤＤ付きＤＶＤレコーダ、テレビ一体型ＤＶＤレコーダ等のような映像を記録媒体に記録可能なＡＶ機器に適用することが可能である。
【図面の簡単な説明】
【００３６】
【図１】ＨＤＤレコーダとＤＶカムコーダを示すブロック図である。
【図２】ＨＤＤレコーダのリモートコントローラを示す図である。
【図３】テレビのモニタに表示される画面の一例を示す図である。
【図４Ａ】テレビのモニタに表示される画面の一例を示す図である。
【図４Ｂ】テレビのモニタに表示される画面の一例を示す図である。
【図４Ｃ】テレビのモニタに表示される画面の一例を示す図である。
【図５】ＨＤＤレコーダの動作手順を示すフローチャートである。
【図６】ＨＤＤレコーダの動作手順を示すフローチャートである。
【図７】ＨＤＤレコーダの動作手順を示すフローチャートである。
【図８】ＨＤＤレコーダの動作手順を示すフローチャートである。
【図９】ＨＤＤレコーダの動作手順を示すフローチャートである。
【符号の説明】
【００３７】
４      ハードディスク
７      ＩＥＥＥ１３９４インターフェイス
９      リモートコントローラ
１０    ＨＤＤレコーダ
２０    ＤＶカムコーダ
３０    テレビ
３１    モニタ
Ｘ２〜Ｘ４  ＨＤＤ用操作キー
Ｙ１〜Ｙ５  ＤＶ用操作キー
Ｚ５〜Ｚ７  操作キー
【図１】
2005318186.tif 000003
【図２】
2005318186.tif 000004
【図３】
2005318186.tif 000005
【図４Ａ】
2005318186.tif 000006
【図４Ｂ】
2005318186.tif 000007
【図４Ｃ】
2005318186.tif 000008
【図５】
2005318186.tif 000009
【図６】
2005318186.tif 000010
【図７】
2005318186.tif 000011
【図８】
2005318186.tif 000012
【図９】
2005318186.tif 000013